(57)【要約】      （修正有）【課題】静電容量方式の入力装置への入力だけでなく筆記体による紙面への筆記も行うことができ、且つ入力と筆記との使い分けを軸筒の前後の握り替えなく行うことができる静電型入力ペンを提供する。【解決手段】軸筒２内にボールペンレフィル８を繰出機構で出没可能に収容し、導電性ゴムから形成した先口部３ｂの内方に空間部Ｋを形成する。先口部３ｂの内方へボールペンレフィル８を保持する保持孔５ｂを有する内先口５ａを設ける。先口部３ｂを入力装置１０の操作領域１０ａへ当接させた際には先口部３ｂが弾性変形して面接触し、ボールペンレフィル８の筆記先端８ａを先口部３ｂの先端開口３ｃから突出させて筆記した状態においてはボールペンレフィル８を内先口５ａで保持して振れ止めとする。【選択図】図５
0003189356.tif 000002
【実用新案登録請求の範囲】
【請求項１】
軸筒内に筆記体を繰出機構で出没可能に収容し、前記筆記体を軸筒内に収容した状態においては前記軸筒の導電性ゴムから形成した先口部による入力装置の操作領域への入力を可能とし、前記筆記体の筆記先端を前記先口部に形成した先端開口から突出させた状態においては該筆記先端による紙面への筆記を可能とした静電型入力ペンであって、前記先口部の内方に空間部を形成すると共に該先口部の内方へ前記筆記体を保持する保持孔を有する内先口を設け、前記先口部を入力装置の操作領域へ当接させた際には該先口部が弾性変形して面接触し、前記筆記体の筆記先端を前記先口部の先端開口から突出させて筆記した状態においては該筆記体を前記内先口で保持して振れ止めとする構造の静電型入力ペン。
【請求項２】
前記先口部の外形形状を、先端に前記先端開口を有するドーム形状に形成した請求項１に記載の静電型入力ペン
【考案の詳細な説明】
【技術分野】
【０００１】
本考案は、操作領域を入力ペンの先端チップで触れることで、選択を行ったりカーソルの移動ができる静電容量方式の入力装置に用いられる静電型入力ペンに関したものである。
【背景技術】
【０００２】
従来、特許文献１に記載されているように、導電性ゴムで構成された先端チップを前部に設けた静電型入力ペンが知られている。また最近では、特許文献２に記載されているように手で持って使用する薄形のタッチパネル形式の入力装置が市場で人気を得ており、指先で入力を行うだけでなく、筆記具のように軸部材を握って入力を行うことができる静電型入力ペンの需要も高くなっている。
【０００３】
また、このような静電型入力ペンの中には、軸筒の一端側に導電性ゴムからなる先端チップを設け、他端側にボールペンなどの筆記体を設けた構成にして、入力装置への入力だけでなく紙面への筆記も行うことができる構造の入力ペンが存在している。しかし従来の筆記体を備えた入力ペン構造では、軸筒の前後に先端チップと筆記体とが別々に存在することから、双方を使い分ける場合には軸筒の前後の握り替えを必要として不便であり、またボールペンなどの筆記先端が突出して危険がないよう、あるいは周辺を汚さないように筆記先端にキャップが装着されており、使用時にキャップを着脱しなければならないという煩わしさがあった。
【０００４】
尚、特許文献３では、先端をタッチペンとするグリップがシャープペンシルの前方に装着された構造が記載されており、この構造では軸筒の前後を握り替えることなくタッチペンとシャープペンシルとを使い分けすることができるが、シャープペンシルの軸筒の外側に対してさらにタッチペン用のグリップを重ねることから、見栄えを悪くしたり、重心の位置が変化することで筆記時における軸筒のバランスが崩れて筆記感を損なう虞がある。また特許文献３の構造は、静電容量方式の入力装置へ使用する構成にはなっておらず、その用途は感圧式のタッチパネルに用いるものであった。
【先行技術文献】
【特許文献】
【０００５】
【特許文献１】特許第４１４２７７６号公報
【特許文献２】特開２０１１−８１８２５号公報
【特許文献３】特許第３３９８６７９号公報
【考案の概要】
【考案が解決しようとする課題】
【０００６】
本考案は、前記従来の問題点を解決するものであって、静電容量方式の入力装置への入力だけでなく筆記体による紙面への筆記も行うことができ、且つ入力と筆記との使い分けを軸筒の前後の握り替えなく行うことができる静電型入力ペンを提供しようとするものである。
【課題を解決するための手段】
【０００７】
「１．軸筒内に筆記体を繰出機構で出没可能に収容し、前記筆記体を軸筒内に収容した状態においては前記軸筒の導電性ゴムから形成した先口部による入力装置の操作領域への入力を可能とし、前記筆記体の筆記先端を前記先口部に形成した先端開口から突出させた状態においては該筆記先端による紙面への筆記を可能とした静電型入力ペンであって、前記先口部の内方に空間部を形成すると共に該先口部の内方へ前記筆記体を保持する保持孔を有する内先口を設け、前記先口部を入力装置の操作領域へ当接させた際には該先口部が弾性変形して面接触し、前記筆記体の筆記先端を前記先口部の先端開口から突出させて筆記した状態においては該筆記体を前記内先口で保持して振れ止めとする構造の静電型入力ペン。
２．前記先口部の外形形状を、先端に前記先端開口を有するドーム形状に形成した前記１項に記載の静電型入力ペン」である。
【０００８】
本考案における筆記体は、ボールペンレフィルやシャープペンシルユニットあるいは固形芯やマーカーなどであり、軸筒内が外部と連通することから油性インキやゲルインキを収容したボールペンレフィルあるいはシャープペンシルユニットが好適である。また最近の静電容量方式の入力装置の多くでは、接触面積が１６平方ミリメートル以上で入力反応が示されるようになっているが、導電性ゴムで形成する先口部の肉厚を薄くしたり硬度を低く設定することで、先口部を内方の空間部側へ潰れやすくして、少ない加重でも先口部と入力装置との接触面積を大きくさせることが可能となる。具体的には、ＪＩＳ−Ｋ６２５３：２００６により求めたゴム硬度が１０〜３０である導電性ゴムによって、先口部の厚みを０．３ｍｍ〜０．７５ｍｍでドーム形状に形成することが好ましい。厚みが薄すぎると変形はしやすいが破れやすくなり、厚みが厚すぎると破れにくくはなるが変形しにくくなる。また内先口は、前軸の内側に配した内軸の前方部に設けることができる。肝要なこととしては、変形しやすい先口部で筆記体を保持させた状態では、筆記時に筆記体が振れてしまう構造を、先口部の内方に設けた内先口に筆記体を当接させることで、該筆記体を保持することができる構造にすることである。したがって内先口は硬質な材料からなるものが良い。また、前軸の表面に設けるコーティング膜は、バインダーに二硫化モリブデン、ポリテトラフルオロエチレン、グラファイト、窒化ホウ素などの固体潤滑剤を含有させたコーティング剤が適している。
【考案の効果】
【０００９】
本考案の静電型入力ペンでは、静電容量方式の入力装置へ先口部を接触させて入力を行うだけでなく、筆記体の筆記先端を先口部から突出させた状態にして紙面への筆記を行うことができ、且つ入力と筆記との使い分けを軸筒の前後の握り替えなく行うことができるものとなる。また先口部の内方に空間部を設けて弾性変形できるようにすることで、先口部が入力装置の操作領域に対して面で接触しやすいものとなる。また先口部の内方に内先口を設けることで、変形しやすい先口部で筆記体を保持させるのではなく、内先口で筆記体をしっかり保持することができるものとなる。
【図面の簡単な説明】
【００１０】
【図１】図１は、本実施例の静電型入力ペンを示す図である。
【図２】図２は、静電型入力ペンに前軸を装着する前の状態を示す図である。
【図３】図３は、図１の状態の縦断面図である。
【図４】図４は、静電容量方式の入力装置へ入力を行っている状態を示す図である。
【図５】図５は、入力を行っている状態の部分拡大断面図である。
【図６】図６は、筆記先端部を突出させた状態を示す図である。
【図７】図７は、図６の状態の縦断面図である。
【図８】図８は、紙面へ筆記を行っている状態を示す図である。
【考案を実施するための形態】
【００１１】
以下、図面を参照して本考案における静電型入力ペンの実施例について説明を行う。尚、説明を分かりやすくするために、図面中の同様の部材、同様の部分については同じ番号を付してある。本実施例の説明においてはペン先側を前方と表現し、その反対側を後方と表現する。また本実施例では、筆記体の出没を、ノック式ボールペンにおいて周知構造である回転カム機構を用いて行う構成としているが、筆記体の繰出機構を特に限定するものではなく、他のノック式繰出機構や回転繰出機構を適宜選択することが可能である。
【００１２】
図１〜図３に基づいて本考案における静電型入力ペンについて説明する。本実施例の静電型入力ペン１における軸筒２は、把持部３ａと先口部３ｂとを導電性ゴムで一体に形成した前軸３と、前軸３の後方に配した後軸４とを有し、前記後軸４に内先口５ａを前方に有した内軸５を螺合してあり、内軸５の外周面に前記前軸３を接着して装着した構造としてある。本実施例の前軸３は、ＪＩＳ−Ｋ６２５３：２００６により求めたゴム硬度が２０のシリコンゴムに炭素粉末を混練した導電性ゴムによって形成してあり、先口部３ｂをドーム形状に厚さ０．５ｍｍで形成してある。また本実施例では、内軸５の外径を後軸４の外径より小径に形成してあり、前軸３を内軸５に装着した状態で前軸３と後軸４との外観的なつながりが一致する構成とした。尚、前軸３の表面にはポリテトラルオロエチレンをバインダーに含有させたコーティング膜（図示せず）を設けてある。
【００１３】
また、本実施例の静電型入力ペン１は、後軸４の後方開口部４ａからノック体６を突出させており、後軸４の内面にカム溝４ｂを形成してノック体６の前方の側面に形成した摺動突起６ａを摺動可能に配し、ノック体６の下方に開口を形成した凹部６ｂの内方に回転カム７の後方小径部７ａを前後方向へ摺動可能に挿着し、回転カム７の側面に、カム溝４ｂに対して摺動可能な係止突起７ｂを形成し、図示しないがノック体６に形成した軸心方向に対する傾斜面で構成された凹凸状の噛合部に回転カム７に形成した被噛合部を噛合わせて配設し、ノック体６をノック操作することにより回転カム７を摺動させながら回転させ、回転カム７に当接したボールペンレフィル８の筆記先端８ａを、コイルスプリング９の弾発力に抗して前進させ、内軸５の内先口５ａに形成した保持孔５ｂへ挿通させて、前軸３の先口部３ｂに形成した先端開口３ｃから突出した状態を維持させ、ノック体６を再度ノック操作することによりコイルスプリング９の弾発力で筆記先端８ａを先端開口３ｃに没入させることができる構造としてある。
【００１４】
次に、図４及び図５を用いて本実施例の静電型入力ペンで、静電容量方式で検出する入力装置に入力操作を行った状態について説明を行う。図４に示すように、静電型入力ペン１の先口部３ｂを入力装置１０の操作領域１０ａに接触させて摺動させると、使用者が把持した把持部３ａから先口部３ｂを通じて操作領域１０ａに静電変化を生じさせ、画像作成ソフトウェアの画面に線１０ｂを描くことができた。この際、図５に示すように、導電性ゴムからなる先口部３ｂは、先口部３ｂと内先口５ａとの間に形成した空間部Ｋ側に弾性変形して操作領域１０ａに面接触された。尚、過度に先口部３ｂを操作領域１０ａに押し付けた場合には、硬質樹脂で成形した内先口５ａが内側から先口部３ｂの変形を抑制するので、筆記先端８ａが損傷することを防止できる。
【００１５】
次に。図６〜図８を用いて本実施例の静電型入力ペンで、紙面に筆記を行った状態について説明を行う。図６及び図７に示すように、ノック体６をノック操作することで、先口部３ｂの先端開口３ｃから筆記先端８ａを突出させ、図８に示すように、紙１１に文字１１ａを書くことができた。尚、本実施例のボールペンレフィルには、熱を加えることで色が消える熱変色性インキを収容してあり、筆跡である文字１１ａを、弾性材料からなる摩擦体１２で擦ることにより摩擦熱で文字１１ａを消すことができた。
【符号の説明】
【００１６】
１…静電型入力ペン、
２…軸筒、
３…前軸、３ａ…把持部、３ｂ…先口部、３ｃ…先端開口、
４…後軸、４ａ…後方開口部、４ｂ…カム溝、
５…内軸、５ａ…内先口、５ｂ…保持孔、
Ｋ…空間部、
６…ノック体、６ａ…摺動突起、６ｂ…凹部、
７…回転カム、７ａ…後方小径部、７ｂ…係止突起、
８…ボールペンレフィル、８ａ…筆記先端、
９…コイルスプリング、
１０…入力装置、１０ａ…操作領域、１０ｂ…線、
１１…紙、１１ａ…文字、
１２…摩擦体。
【図１】
0003189356.tif 000003
【図２】
0003189356.tif 000004
【図３】
0003189356.tif 000005
【図４】
0003189356.tif 000006
【図５】
0003189356.tif 000007
【図６】
0003189356.tif 000008
【図７】
0003189356.tif 000009
【図８】
0003189356.tif 000010
【手続補正書】
【提出日】平成25年12月27日(2013.12.27)
【手続補正１】
【補正対象書類名】実用新案登録請求の範囲
【補正対象項目名】全文
【補正方法】変更
【補正の内容】
【実用新案登録請求の範囲】
【請求項１】
導電性ゴムから形成した先口部を設けた軸筒と、前記軸筒内に繰出機構で出没可能に収容した筆記体とを有した静電型入力ペンであって、前記先口部の内方に空間部を形成すると共に該先口部の内方へ前記筆記体を保持する保持孔を有する内先口を設け、前記先口部を入力装置の操作領域へ当接させた際には該先口部が弾性変形して面接触し、前記筆記体の筆記先端を前記先口部の先端開口から突出させて筆記した状態においては該筆記体を前記内先口で保持して振れ止めとする構造の静電型入力ペン。
【請求項２】
前記先口部の外形形状を、先端に前記先端開口を有するドーム形状に形成した請求項１に記載の静電型入力ペン。
【手続補正２】
【補正対象書類名】明細書
【補正対象項目名】０００７
【補正方法】変更
【補正の内容】
【０００７】
「１．導電性ゴムから形成した先口部を設けた軸筒と、前記軸筒内に繰出機構で出没可能に収容した筆記体とを有した静電型入力ペンであって、前記先口部の内方に空間部を形成すると共に該先口部の内方へ前記筆記体を保持する保持孔を有する内先口を設け、前記先口部を入力装置の操作領域へ当接させた際には該先口部が弾性変形して面接触し、前記筆記体の筆記先端を前記先口部の先端開口から突出させて筆記した状態においては該筆記体を前記内先口で保持して振れ止めとする構造の静電型入力ペン。
２．前記先口部の外形形状を、先端に前記先端開口を有するドーム形状に形成した前記１項に記載の静電型入力ペン。」である。